(57)【特許請求の範囲】
【請求項１】
画像形成装置に用いられる消耗品の記憶手段に記憶された消耗品情報を検出する検出手段と、前記消耗品の情報を表示する表示手段と、前記消耗品の情報を表示指示する表示指示手段と、前記検出手段と前記表示手段と前記表示指示手段とを制御する制御手段とを備える画像形成装置において、
前記制御手段は、前記表示指示手段にユーザが表示指示した場合に、前記消耗品情報を前記表示手段に表示させる構成を有し、
前記表示手段は、前記消耗品が取得、認定、または検証された環境エコラベルの画像と、前記消耗品の温室効果ガス排出権費用の使用用途の名称と、前記使用用途の画像を含む詳細情報と、を含む前記消耗品情報を表示することを特徴とする画像形成装置。
【請求項２】
前記制御手段は、前記環境エコラベルの画像と、前記使用用途の名称と、前記使用用途の詳細情報とをそれぞれ関連付けて、指示された消耗品情報を前記表示手段に表示させることを特徴とする請求項１に記載の画像形成装置。
【請求項３】
前記制御手段は、前記環境エコラベルの画像を羅列して前記表示手段に表示させることを特徴とする請求項１または２に記載の画像形成装置。
【請求項４】
前記制御手段は、前記使用用途の名称を羅列して前記表示手段に表示させることを特徴とする請求項１から３のうちの何れか一項に記載の画像形成装置。
【請求項５】
前記制御手段は、前記詳細情報の画像を羅列して前記表示手段に表示させることを特徴とする請求項１から３のうちの何れか一項に記載の画像形成装置。
【請求項６】
前記画像形成装置は、外部のサーバと通信可能な通信手段を備え、
前記通信手段を介して、前記消耗品情報を前記サーバから取得することを特徴とする請求項１から５のうちの何れか一項に記載の画像形成装置。
【発明の詳細な説明】
【技術分野】
【０００１】
本発明は、画像形成装置に係り、特に、画像形成装置に用いられる消耗品の温室効果ガス排出権購入費用に関する消耗品情報を表示する画像形成装置に関する。
【背景技術】
【０００２】
近年、複写機、ファクシミリ、プリンタ等の画像形成装置において、地球環境への配慮から、画像形成装置に用いられる消耗品容器などの再利用やリサイクルを行うことが促進されている。
【０００３】
従来技術として、例えば、電子装置に着脱自在な消耗品ユニットとして、排出権（温室効果ガス排出権）が付与された形で販売される消耗品ユニットを使用し、これらの消耗品ユニットの継続使用状態によって温室効果ガスの削減に対する評価を行い、オペレーションパネル等に評価結果を表示し、用紙に印刷するようにしたものが提案されている（特許文献１を参照。）。
これにより、ユーザの温室効果ガス削減への認識を高めることができる。
【先行技術文献】
【特許文献】
【０００４】
【特許文献１】特開２０１０−２４４２号公報
【発明の概要】
【発明が解決しようとする課題】
【０００５】
しかしながら、上述した従来技術による画像形成装置によれば、ユーザの温室効果ガス削減への認識を高めることはできるが、ユーザは排出権が付与された消耗品に係る排出権購入費用が何に使われるかが解らない。また、排出権購入費用が不正使用されても解らない。さらには、温室効果ガス削減の手段が解らず、特に、対環境意識の高いユーザにとっては排出権購入費用の使用用途が不明なため、排出権が付与された消耗品の購入意欲を喚起するまでには至らないといった課題がある。
【０００６】
本発明は、上記従来の問題点に鑑みてなされたものであって、温室効果ガス排出権購入費用が具体的に何に使われているかを明瞭にして、ユーザに対して対環境意識を向上喚起することができる画像形成装置を提供することを目的とする。
【課題を解決するための手段】
【０００７】
上述した課題を解決するための本発明に係る画像形成装置は、次の通りである。
【０００８】
本発明は、画像形成装置に用いられる消耗品の記憶手段に記憶された消耗品情報を検出する検出手段と、前記消耗品の情報を表示する表示手段と、前記消耗品の情報を表示指示する表示指示手段と、前記検出手段と前記表示手段と前記表示指示手段とを制御する制御手段とを備える画像形成装置において、前記制御手段の構成として、前記表示指示手段にユーザが表示指示した場合に、前記消耗品情報を前記表示手段に表示させる構成を有し、前記表示手段に、前記消耗品が取得、認定、または検証された環境エコラベルの画像と、前記消耗品の温室効果ガス排出権費用の使用用途の名称と、前記使用用途の画像を含む詳細情報と、を含む前記消耗品情報を表示することを特徴とするものである。
【０００９】
また、本発明は、前記制御手段により、前記環境エコラベルの画像と、前記使用用途の名称と、前記使用用途の詳細情報とをそれぞれ関連付けて、指示された消耗品情報を前記表示手段に表示させることが好ましい。
【００１０】
また、本発明は、前記制御手段により、前記環境エコラベルの画像を羅列して前記表示手段に表示させることが好ましい。
【００１１】
また、本発明は、前記制御手段により、前記使用用途の名称を羅列して前記表示手段に表示させることが好ましい。
【００１２】
また、本発明は、前記制御手段により、前記詳細情報の画像を羅列して前記表示手段に表示させることが好ましい。
【００１３】
また、本発明は、前記画像形成装置の構成として、外部のサーバと通信可能な通信手段を備え、前記通信手段を介して前記消耗品情報を前記サーバから取得することが好ましい。
【発明の効果】
【００１４】
本発明の画像形成装置によれば、画像形成装置に用いられる消耗品の記憶手段に記憶された消耗品情報を検出する検出手段と、前記消耗品の情報を表示する表示手段と、前記消耗品の情報を表示指示する表示指示手段と、前記検出手段と前記表示手段と前記表示指示手段とを制御する制御手段とを備える画像形成装置において、前記制御手段の構成として、前記表示指示手段にユーザが表示指示した場合に、前記消耗品情報を前記表示手段に表示させる構成を有し、前記表示手段に、前記消耗品が取得、認定、または検証された環境エコラベルの画像と、前記消耗品の温室効果ガス排出権費用の使用用途の名称と、前記使用用途の画像を含む詳細情報と、を含む前記消耗品情報を表示することで、ユーザの対環境貢献に対する選択余地を拡げることができ、特に、対環境意識の高いユーザにとっては、温室効果ガス排出権購入費用が何に使われているか、またどのように社会貢献しているかを知ることができ、安心して温室効果ガス排出権付き消耗品の購入ができる。
【図面の簡単な説明】
【００１５】
【図１】本発明の実施形態に係る画像形成装置の全体の構成を示す説明図である。
【図２】前記画像形成装置の構成を示すブロック図である。
【図３】前記画像形成装置の温室効果ガス排出権購入費用の使用用途選択システムを構成する操作パネルの構成を示す説明図である。
【図４】前記操作パネルを構成する表示部の初期画面を示す説明図である。
【図５】前記画像形成装置の操作パネルの表示部に表示される温室効果ガス排出権使用用途情報を選択する選択画面であって、前記画像形成装置を構成する構成要素のリスト表示の一例を示す説明図である。
【図６】前記表示部に表示される前記画像形成装置に用いられる消耗品を選択する選択画面であって、前記消耗品の製品情報のリスト表示と前記消耗品の対環境性能情報としての環境エコラベル情報のサムネイル表示の一例を示す説明図である。
【図７】前記消耗品の選択が確定した時の表示状態の一例を示す説明図である。
【図８】前記消耗品の排出権購入費用使用用途を選択する選択画面であって、選択可能な排出権購入費用の使用先の事業の表示した一例を示す説明図である。
【図９】前記事業のうちの「再生可能エネルギーに関する発電事業」の詳細内容を表示する表示画面の説明図である。
【図１０】前記事業のうちの「温室効果ガスの貯留事業」の詳細内容を表示する表示画面の説明図である。
【図１１】前記事業のうちの「温室効果ガスの吸収事業」の詳細内容を表示する表示画面の説明図である。
【図１２】前記画像形成装置から販売店に送信される通知画面の一例を示す説明図である。
【図１３】販売店から確定内容を受信したことが確認され時に表示される受信画面の一例を示す説明図である。
【図１４】前記画像形成装置の温室効果ガス排出権購入費用の使用用途選択システムにより消耗品の環境対応取得情報を入手するととものに消耗品の排出権購入費用の利用用途の依頼するための通信ネットワークの一例を示す説明図である。
【図１５】前記画像形成装置の温室効果ガス排出権購入費用の使用用途選択システムによる消耗品の排出権購入費用の利用用途を依頼する手順を示すフローチャートである。
【発明を実施するための形態】
【００１６】
以下、本発明を実施するための形態について図面を参照して説明する。
図１は発明を実施する形態の一例であって、本発明の実施形態に係る画像形成装置の全体の構成を示す説明図である。
【００１７】
本実施形態は、図１に示すように、電子写真方式によりトナーを用いて画像を形成する画像形成装置１に用いられる温室効果ガス排出権購入費用の使用用途選択システムの構成として、本発明に係る特徴的な画像形成装置の構成を採用したものである。
【００１８】
まず、画像形成装置１の全体構成について説明する。
画像形成装置１は、外部から伝達される画像データに応じて所定のシート（記録用紙，記録媒体）に画像を形成するものである。画像形成装置１は、図１に示すように、主に、本体装置である電子写真プロセス部（図示省略）を備えた画像形成部３と、スキャナユニット（図示省略）を備えた画像読取部２とを備えて構成されている。
【００１９】
原稿画像をスキャナユニットで読み取ることにより得られた画像データは、各種処理が施された後、メモリに一旦記憶され、出力指示に応じてメモリから画像データを画像形成部３に出力して、感光体ドラム（図示省略）上に可視画像として再現した後、用紙上に画像を転写してトナー像を形成する。
【００２０】
画像形成部３に隣接して用紙を供給する給紙部４が構成されている。
給紙部４は、第１〜３カセット３１，３２，３３、さらにオプションとして大容量カセット３４を有している。大容量カセット３４は、最も使用頻度の高い、例えばＡ４サイズの標準紙を大量に収容することができる。
【００２１】
画像読取部２と画像形成部３の間には排紙トレイ５１が形成されている。
画像形成部３に隣接して後処理装置５が構成されている。
後処理装置５には、第１排紙卜レイ５２，第２排紙トレイ５３が設けられている。
【００２２】
そして、画像形成装置１は、図示しないネットワーク回線（ＬＡＮ、電話回線等）を介してＰＣやＦＡＸ、携帯端末と接続されている。
【００２３】
ここで、画像形成装置１の構成についてブロック図を参照して説明する。
図２は本実施形態の画像形成装置の構成を示すブロック図である。
【００２４】
画像形成装置１は、図２に示すように、電気的構成として、画像形成装置１の動作を制御する制御部５０１、記憶部５０２、演算部５０３、表示部１０１、入力部５０５、ネットワーク回線を介してＰＣ等とＬＡＮ接続等を行う通信部（通信手段）５０６、画像処理を行う画像処理部５０８、画像形成を行う画像形成部５０９、トナー像の定着処理を行う定着部５１０、スキャナにおいて画像の読み取りを行う読取部５０７、後処理装置５（図２の周辺機器を指す）の動作を制御する制御部５１１などを備えている。
【００２５】
なお、本実施形態では、画像形成装置１に用いられる消耗品には、記憶手段または記録手段として、ＩＣ（無線ＩＣタグや接点式ＣＲＵＭ）、バーコード、ＱＲコード（登録商標）等が備えられている。
そして、画像形成装置１は、この消耗品の記憶手段または記録手段に格納された情報を検出する検出部（検出手段）５０９ａを備えている。
【００２６】
検出部５０９ａは、ユーザが購入した消耗品が純正消耗品であるか否かを検出する。
演算部５０３は、検出部５０９ａにより検出された検出値（検出結果）と、記憶部５０２に記憶された純正消耗品（図示省略）であることのデータとを照合演算する。
【００２７】
制御部５０１は、演算部５０３による演算結果に基づき、検出部５０９ａにより検出された消耗品が純正消耗品であるか否かを判断する機能を備え、検出部５０９ａにより検出された消耗品が純正消耗品であった場合には、純正消耗品の情報を取得できるようにされている。
【００２８】
次に、本実施形態の画像形成装置１の特徴的な構成について図面を参照して説明する。
図３は本実施形態に係る画像形成装置を構成する操作パネルの構成を示す説明図、図４は前記操作パネルを構成する表示部の初期画面を示す説明図である。
【００２９】
本実施形態に係る画像形成装置１は、温室効果ガス排出権付き消耗品の排出権購入費用の使用用途を選択する温室効果ガス排出権購入費用の使用用途選択システムを構成するものであって、操作パネル１００上での操作により画像形成装置１に用いられる温室効果ガス排出権付き消耗品の排出権購入費用の使用用途を選択して、その温室効果ガス排出権付消耗品の発注先（例えば、メーカー、購入先またはリース先）に通知するものである。
【００３０】
この温室効果ガス排出権購入費用の使用用途選択システムは、画像形成装置１に用いられる温室効果ガス排出権付き消耗品の製品情報と前記温室効果ガス排出権付き消耗品の排出権購入費用の使用用途の情報とを入手する情報入手手段と、温室効果ガス排出権付き消耗品の製品情報と前記温室効果ガス排出権付き消耗品の排出権購入費用の使用用途の情報とを表示する表示部と、前記温室効果ガス排出権付き消耗品の排出権購入費用の使用用途を選択するための使用用途選択手段と、前記使用用途選択手段により選択された選択結果を前記温室効果ガス排出権付き消耗品の発注先に通知する選択結果通知手段と、を備えている。
【００３１】
本実施形態では、操作パネル１００の表示部１０１が、温室効果ガス排出権購入費用の使用用途選択システムの表示部として機能するように構成されている。
【００３２】
操作パネル１００は、図３，図４に示すように、操作面（入力部）１００ａが略平面状に構成されて、その略中央部に表示部１０１が構成されている。
【００３３】
表示部１０１には、画像形成装置１による処理モードを選択する操作キー１１０が表示されている。操作キー１１０により、ＣＯＰＹ  モード、ＩＭＡＧＥ  ＳＥＮＤ  モード、ＤＯＣＵＭＥＮＴ  ＦＩＬＩＮＧ  モードが選択可能になっている。
【００３４】
表示部１０１は、画像形成装置１の電源をＯＮにすると、図示しない初期画面が表示され、操作キー１１０によりＩＭＡＧＥ  ＳＥＮＤ  モードを選択すると、図４に示すように、ＩＭＡＧＥ  ＳＥＮＤ  初期画面１１０ａが表示される。
【００３５】
ＩＭＡＧＥ  ＳＥＮＤ  初期画面１１０ａの画面左下には、操作キーとしてのＥｃｏｖｉｅｗアイコン１２０が表示される。Ｅｃｏｖｉｅｗアイコン１２０をタッチすると、表示部１０１には、使用している画像形成装置１に関する温室効果ガス排出権使用用途情報を取得するための選択画面が表示される。
画像形成装置１に関する情報には、画像形成装置１に用いられる温室効果ガス排出権付消耗品の情報を含む。
本実施形態において、消耗品は温室効果ガス排出権付き消耗品とする。
【００３６】
また、操作パネル１００は、リスト表示とサムネイル表示とを切り替えるアイコン（図示省略）と、ＩＭＡＧＥ  ＳＥＮＤ  モードの初期画面１１０ａに戻すためのアイコン（図示省略）を備えている。
【００３７】
また、本実施形態では、表示部１０１に表示される選択画面は、例えば、タッチパネルを用いて画面上に表示されたリスト表示やサムネイル表示をタッチすることで、それぞれのリスト表示やサムネイル表示の情報を選択する情報選択手段として機能するように構成されている。すなわち、選択画面が情報選択手段として機能する。
【００３８】
また、本実施形態では、画像形成装置１における通信部５０６が、ネットワーク回線を介してメーカー、購入先またはリース先から消耗品の製品情報、消耗品の対環境性能情報及び温室効果ガス排出権使用用途情報などを入手する情報入手手段として機能するように構成されるとともに、前記情報選択手段により選択された選択結果を消耗品の発注先に通知する選択結果通知手段として機能するように構成されている。
【００３９】
次に、本実施形態の操作パネル１００の表示部１０１に表示される表示画面について、図面を参照して説明する。
図５は本実施形態の画像形成装置の操作パネルの表示部に表示される温室効果ガス排出権使用用途情報を選択する選択画面であって、前記画像形成装置を構成する構成要素のリスト表示の一例を示す説明図、図６は前記表示部に表示される前記画像形成装置に用いられる消耗品を選択する選択画面であって、前記消耗品の製品情報のリスト表示と前記消耗品の対環境性能情報としての環境エコラベル情報のサムネイル表示の一例を示す説明図、図７は前記消耗品の選択が確定した時の表示状態の一例を示す説明図、図８は前記消耗品の排出権購入費用使用用途を選択する選択画面であって、選択可能な排出権購入費用の使用先の事業の表示した一例を示す説明図、図９は前記事業のうちの「再生可能エネルギーに関する発電事業」の詳細内容を表示する表示画面の説明図、図１０は前記事業のうちの「温室効果ガスの貯留事業」の詳細内容を表示する表示画面の説明図、図１１は前記事業のうちの「温室効果ガスの吸収事業」の詳細内容を表示する表示画面の説明図、図１２は前記画像形成装置から販売店に送信される通知画面の一例を示す説明図、図１３は販売店から確定内容を受信したことが確認され時に表示される受信画面の一例を示す説明図である。
【００４０】
本実施形態では、画像形成装置１の操作パネル１００の表示部１０１に表示されたＩＭＡＧＥ  ＳＥＮＤ  初期画面１１０ａにおいて、Ｅｃｏｖｉｅｗアイコン１２０をタッチすると、表示部１０１には、まず、図５に示すように、温室効果ガス排出権使用用途情報を取得するための温室効果ガス排出権使用用途情報選択画面１０１ａが表示される。
【００４１】
温室効果ガス排出権使用用途情報選択画面１０１ａには、画像表示および選択スイッチのサムネイルとして、選択現在使用している画像形成装置１の外観表示１１１、戻りアイコン１１２、送信アイコン１１３、画像形成装置本体選択アイコン１１４、ドキュメントフィーダー選択アイコン１１５、大容量給紙装置選択アイコン１１６、ソーター選択アイコン１１７、消耗品選択アイコン１１８、「全て」を選択するアイコン１１９が表示される。
【００４２】
温室効果ガス排出権使用用途情報選択画面１０１ａにおいて、消耗品選択アイコン１１８をタッチすると、表示部１０１には、図６に示すように、消耗品に関する製品情報をリスト表示したものと、トナーカートリッジの環境エコラベル情報をサムネイル表示したものとが同時に表示される製品情報／環境エコラベル情報選択画面１０１ｂが表示される。
【００４３】
具体的には、製品情報／環境エコラベル情報選択画面１０１ｂには、図６に示すように、画像形成装置１に対応した消耗品の製品情報がリスト表示されるとともに、それぞれの消耗品が取得、認定、または検証された環境エコラベル情報がサムネイル表示されている。画面上の下部には、戻りアイコン１２１、次画面切換アイコン（選択用）１２２が表示される。
【００４４】
本実施形態では、消耗品のリスト表示として、トナーカートリッジや記録用紙等が表示される。例えば、製品情報として、黒色トナーカートリッジ２０１、透明色トナーカートリッジ２０２、イエロー色トナーカートリッジ２０３・・・Ａ４サイズ記録用紙２１１・・・が表示されている。
【００４５】
そして、それぞれの消耗品の製品情報に対応して、該消耗品が取得、認定、または検証された環境エコラベル情報として、カーボンオフセットの認証ラベル（登録商標）のサムネイル３０１、エコマーク（登録商標）のサムネイル３０２、カーボンフットプリントラベルのサムネイル３０３、ブルーエンジェルのサムネイル３０４、ノルディックスワン（登録商標）のサムネイル３０５、グリーンマーク（登録商標）のサムネイル３０６などが表示されている。
【００４６】
カーボンオフセットは、自ら排出した二酸化炭素などの温室効果ガスの排出量を認識し、主体的にこれを削減する努力を行うとともに、削減が困難な部分の排出量について、他の場所で実現した温室効果ガスの排出削減・吸収量等を購入すること又は他の場所で排出削減・吸収を実現するプロジェクトや活動を実施すること等により、その排出量の全部又は一部を埋め合わせるものである。
【００４７】
エコマーク（登録商標）は、ＩＳＯ規格に準拠する日本国の規格に基づくもので、様々な環境影響をライフサイクルに亘って考慮して環境保全に資する商品を認定し、表示するものである。
【００４８】
カーボンフットプリントラベルは、商品及びサービスの原材料調達から廃棄・リサイクルに至るライフサイクル全体を通しての環境負荷を定量的に算定するＬＣＡ（ライフサイクルアセスメント）手法を活用し、ライフサイクル全体における温室効果ガス排出量をＣＯ２に換算し表示するものである。
【００４９】
ブルーエンジェルは、ドイツのエコマークであって、環境に優しい商品や企業の環境に対する姿勢等を消費者が知るための重要な指標のひとつであり、商品の生産から廃棄にいたるまで、あらゆる工程での環境への評価はもとより、同一の用途・機能の他商品と比較して、省エネ等において優秀で、しかも商品の有用性や安全性が保証される商品などに与えられる。また、ノルディックスワン（登録商標）は、北欧諸国の公認エコラベル制度に基づくエコマークである。
【００５０】
グリーンマーク（登録商標）は、財団法人古紙再生促進センターが制定したマークであって、古紙の利用を拡大し、紙のリサイクルの促進を図るため、古紙を原料に利用した製品であることを容易に識別できる目印としたマークである。
【００５１】
そして、温室効果ガス排出権使用用途情報選択画面１０１ａに表示されたそれぞれの選択アイコンや、製品情報／環境エコラベル情報選択画面１０１ｂに表示されたそれぞれの消耗品の製品情報のリスト表示や環境エコラベル情報のサムネイル表示は、例えばタッチパネルを用いて画面上でタッチすることでそれぞれの情報を選択する情報選択手段として機能するように構成されている。
【００５２】
製品情報／環境エコラベル情報選択画面１０１ｂにおいて、例えば、消耗品としてイエロー色トナーカートリッジ２０３を選択する場合、画面上に表示されている製品情報（イエロー色トナーカートリッジ２０３）、または、そのカートリッジが取得、認定、または検証された環境エコラベル情報（カーボンオフセットの認証ラベル（登録商標）のサムネイル３０１、エコマーク（登録商標）のサムネイル３０２、カーボンフットプリントラベルのサムネイル３０３、ブルーエンジェルのサムネイル３０４、ノルディックスワン（登録商標）のサムネイル３０５、など）をユーザがタッチすることで、ユーザが所望するイエロー色トナーカートリッジ２０３が選択される。
【００５３】
消耗品の選択が終了した後、次画面切換アイコン（選択用）１２２をタッチすることで、表示部１０１には、図７に示すように、例えば、イエロー色カートリッジ２０３の製品情報およびそのイエロー色カートリッジ２０３の環境エコラベル情報のサムネイルが表示される情報表示エリア１０１ｂ１の色が変化して（または、明るく点灯表示して）、イエロー色カートリッジ２０３が選択されたことが明示される。画面上の下部には、次画面切換アイコン（確定用）１２３、戻りアイコン１２１が表示される。
【００５４】
なお、選択したトナーカートリッジと選択されなかったトナーカートリッジとの表示変化は、上述した態様に限定せず、例えば、選択したカートリッジのリスト表示やサムネイル表示を目立たない色に変化させたり、色調や文字図形の大きさを変化させるようにしてもよい。また、その他の例として、表示部１０１の所定の位置に選択したトナーカートリッジの型番を表示する領域を設定して、その領域に選択したトナーカートリッジの型番を表示するようにしてもよい。また、上述したトナーカートリッジ選択操作を引き続いて行うことができるようにしてもよい。
【００５５】
製品情報／環境エコラベル情報選択画面１０１ｂにおいて、次画面切換アイコン（確定用）１２３がタッチされると、表示部１０１には、図８に示すように、選択された消耗品の排出権購入費用の使用用途を選択するための排出権購入費用使用用途選択画面１０１ｃが表示される。
【００５６】
具体的には、排出権購入費用使用用途選択画面１０１ｃには、図８に示すように、選択された消耗品の排出権購入費用の使用用途として、例えば、「再生可能エネルギーに関する発電事業」を選択する選択アイコン４０１、「温室効果ガスの貯留事業」を選択する選択アイコン４０２、「温室効果ガスの吸収事業」を選択する選択アイコン４０３、選択された事業の詳細を表示する選択アイコン１２４、次画面切換アイコン（事業確定用）１２５、戻りアイコン１２１が表示される。すなわち、排出権購入費用使用用途選択画面１０１ｃにおいて、ユーザの希望する排出権購入費用の使用用途が選択可能となっている。
【００５７】
排出権購入費用使用用途選択画面１０１ｃにおいて、選択アイコン４０１により「再生可能エネルギーに関する発電事業」を選択すると、表示部１０１には、図９に示すように、「再生可能エネルギーに関する発電事業」に関する詳細内容が表示される発電事業詳細画面１０１ｄが表示される。
【００５８】
具体的には、発電事業詳細画面１０１ｄには、図９に示すように、発電事業として、（１）風力発電、（２）水力発電、（３）潮汐発電、（４）波力発電、（５）太陽光発電、（６）地熱発電、（７）バイオマス発電、に関する説明が写真画像とともに表示される。画面上の下部には、次画面切換アイコン（事業確定用）１２５、戻りアイコン１２１が表示される。
【００５９】
また、排出権購入費用使用用途選択画面１０１ｃにおいて、選択アイコン４０２により「温室効果ガスの貯留事業」を選択すると、表示部１０１には、図１０に示すように、「温室効果ガスの貯留事業」に関する詳細内容が表示される温室効果ガス貯留事業詳細画面１０１ｅが表示される。
【００６０】
具体的には、温室効果ガス貯留事業詳細画面１０１ｅには、図１０に示すように、温室効果ガスを地中や帯水層に貯留する説明が説明図とともに表示される。画面上の下部には、次画面切換アイコン（事業確定用）１２５、戻りアイコン１２１が表示される。
【００６１】
また、排出権購入費用使用用途選択画面１０１ｃにおいて、選択アイコン４０３により「温室効果ガスの吸収事業」を選択すると、表示部１０１には、図１１に示すように、「温室効果ガスの吸収事業」に関する詳細内容が表示される温室効果ガス吸収事業詳細画面１０１ｆが表示される。
【００６２】
具体的には、温室効果ガス吸収事業詳細画面１０１ｆには、図１１に示すように、温室効果ガスの吸収事業に係る（１）海洋、（２）森林、（３）土壌、における温室効果ガスの吸収の説明が表示される。画面上の下部には、次画面切換アイコン（事業確定用）１２５、戻りアイコン１２１が表示される。
【００６３】
そして、排出権購入費用使用用途選択画面１０１ｃまたはそれぞれ事業詳細画面１０１ｄ，１０１ｅ，１０１ｆにおいて、次画面切換アイコン（事業確定用）１２５をタッチすることで排出権購入費用の使用用途（使用する事業）が確定されると、表示部１０１には、図１２に示すように、通知画面１０１ｇに基づき、メーカーや販売店に確定内容が通知される。
【００６４】
具体的には、通知画面１０１ｇには、図１２に示すように、メーカーや販売店に排出権購入費用の使用用途を依頼する依頼書のプレビュー画像５２１、依頼書を確定する確定アイコン５２２、依頼書を送信（通知）する送信アイコン５２３、前画面に戻る戻りアイコン５２４、ＩＭＡＧＥ  ＳＥＮＤ  モードの画面に戻る戻りアイコン５２５、初期画面に戻る戻りアイコン５２６が表示される。
【００６５】
また、メーカーや販売店が確定内容（依頼書）を受信したことが確認されると、表示部１０１には、図１３に示すように、送信した依頼書（販売店用依頼書）の写しの受信画面１０１ｈが表示される。
【００６６】
具体的には、受信画面１０１ｈには、図１３に示すように、メーカーや販売店に排出権購入費用の使用用途を依頼する依頼書の写しプレビュー画像６０１、受信画面１０１ｈの表示画面を印刷する印刷アイコン６０２、受信画面１０１ｈを画像形成装置１に保存する保存アイコン６０３、受信画面１０１ｈを転送する転送アイコン６０４、受信処理を終了する終了アイコン６０５が表示される。
【００６７】
本実施形態によれば、操作パネル１００の表示部１０１にトナーカートリッジの製品情報とともに環境エコラベル情報を表示して、その表示された情報に基づき画面上でユーザが所望するトナーカートリッジを対環境性能を考慮した上で選択することができる。
【００６８】
すなわち、対環境意識の高いユーザは、例えば、自身の関係する使用・維持管理に関わるＣＯ２排出量換算値を、図６，図７に示すように、表示部１０１に表示されるそれぞれのトナーカートリッジに対応したカーボンフットプリントラベルの表示内容より容易に知ることができる。
【００６９】
なお、図６，図７中に示すカーボンフットプリントラベルのマーク中に表示している重量（ｋｇ）は、それぞれのトナーカートリッジのライフサイクル段階における原材料調達から廃棄・リサイクルまでのＣＯ２排出量換算値の合計量を示している。
【００７０】
また、本実施形態の場合は、トナーカートリッジの型番に対応してカーボンフットプリントラベルにＣＯ２排出量の値が記載されているので、それぞれのトナーカートリッジの能力とともにＣＯ２排出量を比較してユーザにとって最適なトナーカートリッジを選択することができ、延いては、地球温暖化防止に貢献できるといった満足感を得ることができる。
【００７１】
また、画像形成装置１の消耗品の販売店により、ライフサイクル段階における原材料調達から廃棄・リサイクルまでのＣＯ２排出量換算値がより少ないトナーカートリッジを推奨することを試みて、結果、販売店にとってもトナーカートリッジの販売促進につながる。
【００７２】
ここで、トナーカートリッジのライフサイクルにおける情報とは、トナーカートリッジの原材料調達段階に始まり、生産段階、流通段階、使用・維持管理段階、廃棄・リサイクル段階の間に排出する温室効果ガスの種類と排出量の情報である。
【００７３】
温室効果ガスの種類には、京都議定書で対象となったＣＯ２、ＣＨ４、Ｎ２Ｏ、ＨＦＣｓ、ＰＦＣｓ、ＳＦ６の６種類があるが、ＣＯ２に換算した値がラベルに記録されるので、Ｅｃｏｖｉｅｗサムネイル表示にはトナーカートリッジのＣＯ２換算値が表示される。
ＣＯ２排出量は、ＬＣＡ（ライフサイクルアセスメント）手法を活用して、下記一般式（Ｉ）で算定される。
【００７４】
ＣＯ２排出量＝Σ（活動量ｉ×ＣＯ２排出原単位）・・・（Ｉ）
ｉは上述した原材料調達から廃棄・リサイクルまでの活動量（プロセス）である。
ライフサイクルの各段階と活動量（プロセス）の例とを（１）から（５）に示す。
（１）原材料調達段階の活動量は、素材使用量である。
（２）生産段階の活動量は、組立て重量および生産時の電力消費量である。
（３）流通段階の活動量は、輸送量（輸送距離と積載率とトラックの積載量との積）である。
（４）使用・維持管理段階の活動量は、使用時の電力消費量である。
（５）廃棄・リサイクル段階の活動量は、埋立重量とリサイクル重量である。
なお、ＣＯ２排出量の単位は（ｋｇ）である。
従って、ラベルには、ＣＯ２の文字とＣＯ２排出量（ｋｇ）との情報が記載される。
また、ＣＯ２排出量の単位は、（ｋｇ）以外にも（ｇ）や（ｔ）といった重量を表す単位でもよい。
【００７５】
なお、トナーカートリッジのライフサイクルにおける情報以外にも様々なエコラベルの情報を表示することができる。法定マークや自主マーク等の何れであってもよい。また、時代の趨勢に添った新しい環境基準が制定された場合であっても、同様に表示することができる。
【００７６】
さらには、国や地域が異なれば取得する環境ラベルや認定される環境ラベルも異なるが、何れにおいても本発明を適応することができる。
【００７７】
次に、本実施形態の画像形成装置１の温室効果ガス排出権購入費用の使用用途選択システムにより消耗品の排出権購入費用の利用用途の依頼する操作について説明する。
図１４は本実施形態の画像形成装置の温室効果ガス排出権購入費用の使用用途選択システムにより消耗品の環境対応取得情報を入手するととものに消耗品の排出権購入費用の利用用途の依頼するための通信ネットワークの一例を示す説明図、図１５は前記画像形成装置の温室効果ガス排出権購入費用の使用用途選択システムによる消耗品の排出権購入費用の利用用途を依頼する手順を示すフローチャートである。
【００７８】
本実施形態において、画像形成装置１の全体制御は、図２に示すように、制御部５０１により行なわれる。また、画像形成装置１のトナーカートリッジの製品情報とトナーカートリッジの環境対応取得情報であるエコラベル情報は、記憶部５０２に記憶されている。
記憶部５０２は、ＨＤＤ装置であってもよく、Ｂｌｕ−ｒａｙディスク装置、ＲＯＭやＲＡＭ、またはＵＳＢメモリ、メモリカードのメモリであってもよい。
【００７９】
また、トナーカートリッジの環境エコラベル情報は、例えば、通信部５０６におけるＬＡＮ接続によりネットワークを介してトナーカートリッジの環境エコラベル情報を持つメーカー、販売店またはリース会社などのウエブサイトにアクセスしてエコラベル情報を入手することもできる。
【００８０】
例えば、図１４に示すように、複数のユーザＡ，Ｂ，Ｃは、それぞれの端末機である画像形成装置１の通信部５０６によりＬＡＮ（ローカルエリアネットワーク）７００を介して販売店やリース会社などのサーバ７０１にアクセスしたり、通信衛星７１１を利用した衛星通信インフラ７１０を介してアクセスすることが可能である。
【００８１】
ＬＡＮ（ローカルエリアネットワーク）７００としては、有線の場合は、イーサネット（登録商標）IEEE規格の１０ＢＡＳＥ−Ｔ、１００ＢＡＳＥ−ＴＸ、１０ＧＢＡＳＥ−Ｔ等や、それらの光マルチモードの１０ＢＡＳＥ−Ｆ、１００ＢＡＳＥ−Ｆ、１０００ＢＡＳＥ−Ｘ、１０ＧＢＡＳＥ−Ｒ、１０ＧＢＡＳＥ−Ｗ、１０ＧＢＡＳＥ−Ｘ、無線の場合は、ＷｉＭＡＸのIEEE 802.16（ブロードバンド無線規格）、IEEE 802.16a（固定無線通信の標準規格、IEEE 802.16規格の使用周波数帯を変更したもの）、IEEE 802.16-2004（固定区間に用いられる方式、別名IEEE 802.16a/REVd）、ＷＡＮ、そして、クラウドコンピューティングサービス（専用事業者：クラウドプロバイダー）も利用できる。
【００８２】
次に、画像形成装置１において、画像形成装置１の温室効果ガス排出権購入費用の使用用途選択システムにより消耗品の排出権購入費用の使用用途を依頼する場合について、操作手順をフローチャートに沿って説明する。
【００８３】
図１５に示すように、画像形成装置１の電源をＯＮにして温室効果ガス排出権購入費用の使用用途選択システムにより選択操作が開始されると、まず、ユーザが購入した消耗品が検出部５０９ａにより検出されて、制御部５０１において、検出された検出値と記憶部５０２に記憶された純正消耗品であることのデータとを演算部５０３が照合演算して、その演算結果に基づき、その消耗品が純正消耗品であるか否かが判断される（ステップＳ１）。
【００８４】
本実施形態では、消耗品には図示しないＩＣ（無線ＩＣタグや接点式ＣＲＵＭ）、バーコード、ＱＲコード（登録商標）等が備えられ、それらを検出部５０９ａにより検出するようになっている。
【００８５】
ステップＳ１において、その消耗品が純正消耗品ではないと判断された場合は、純正消耗品ではない旨を表示部１０１に表示して処理が終了する。
【００８６】
一方、ステップＳ１において、その消耗品が純正消耗品であると判断された場合は、制御部５０１により操作パネル１００を起動して表示部１０１に初期画面が表示される（ステップＳ２）。その初期画面において、画像形成装置１による処理モードを選択する操作キー１１０によりＩＭＡＧＥ  ＳＥＮＤ  モードを選択して、ＩＭＡＧＥ  ＳＥＮＤ  モードが実行される（ステップＳ３）。このとき、表示部１０１には、ＩＭＡＧＥ  ＳＥＮＤ  初期画面１１０ａが表示される。初期画面１１０ａの左下にはＥｃｏｖｉｅｗアイコン１２０が表示される。そして、ＩＭＡＧＥ  ＳＥＮＤ  初期画面１１０ａに表示されたＥｃｏｖｉｅｗアイコン１２０がタッチされたか否かが判断される（ステップＳ４）。
【００８７】
ステップＳ４において、Ｅｃｏｖｉｅｗアイコン１２０がタッチされていないと判断された場合は、ステップＳ５に進み、初期画面１１０ａに戻るか否かが判断される。ステップＳ５において、初期画面１１０ａに戻ると判断された場合は、初期画面１１０ａに戻って処理が終了する。また、ステップＳ５において、初期画面１１０ａに戻らないと判断された場合は、再びステップＳ４に戻る。
【００８８】
一方、ステップＳ４において、Ｅｃｏｖｉｅｗアイコン１２０がタッチされたと判断された場合は、ステップＳ６に進み、消耗品の製品情報、消耗品環境情報及び排出権情報とを入手するか否かが判断される。Ｅｃｏｖｉｅｗアイコン１２０を選択すると、表示部１０１には温室効果ガス排出権使用用途情報選択画面１０１ａが表示される。
【００８９】
ステップＳ６において、消耗品の製品情報、消耗品環境情報及び排出権情報を入手しないと判断された場合は、ステップＳ５に進み、初期画面１１０ａに戻るか否かが判断される。ステップＳ５において、初期画面１１０ａに戻ると判断された場合は、初期画面１１０ａに戻って処理が終了する。また、ステップＳ５において、初期画面１１０ａに戻らないと判断された場合は、再びステップＳ４に戻る。
【００９０】
一方、ステップＳ６において、消耗品の製品情報、消耗品環境情報及び排出権情報を入手すると判断された場合は、通信部５０６におけるＬＡＮ接続によりネットワークを介して画像形成装置１の情報を持つメーカーや販売会社、販売代理店、リース会社等のウエブサイトにアクセスして消耗品の製品情報、消耗品環境情報及び排出権情報を送信して貰う旨の要求メールを発信して、消耗品の製品情報、消耗品環境情報及び排出権情報を入手する。そして、入手した消耗品の製品情報、消耗品環境情報及び排出権情報を一旦記憶部５０２に格納した後に表示部１０１に表示する（ステップＳ７）。
表示部１０１には、図５に示すように、温室効果ガス排出権使用用途情報選択画面１０１ａが表示される。
【００９１】
本実施形態では、ユーザは、消耗品の排出権の使用用途選択を希望しているので、温室効果ガス排出権使用用途情報選択画面１０１ａから消耗品選択アイコン１１８を選択する。
【００９２】
ここで、画像形成装置１によるメーカーや販売会社、販売代理店、リース会社等からの情報の入手について説明する。
【００９３】
画像形成装置１は、通信部５０６におけるＬＡＮ接続を経由してメーカーや販売会社、販売代理店、リース会社等のサーバに接続されている。メーカーや販売会社、販売代理店、リース会社等のサーバは、ユーザからの送信データを解析して自動的に図６から図１１に示す消耗品の消耗品の製品情報、消耗品環境情報及び排出権情報や、図１２に示す依頼書のプレビュー画面を生成するプログラムを返信する。
【００９４】
なお、画像形成装置１のメーカーや販売会社、販売代理店、リース会社等のメールアドレスは、予め画像形成装置１に登録されており、消耗品の製品情報、消耗品環境情報及び排出権情報を入手することを選択することで自動的に上記メールアドレス宛に送信される。
【００９５】
また、メーカーや販売会社、販売代理店、リース会社等への要求メールには、自動的に画像形成装置１本体の名称、型番等が添付されており、送信された要求メールを受信した販売会社等は、画像形成装置１の名称、型番等の情報に基づき、消耗品の製品情報、消耗品環境情報及び排出権情報をユーザへ送信するようにしてもよい。これは手動で送信してもよく、また、自動で送信できるように設定されていてもよい。
【００９６】
画像形成装置１において、消耗品の製品情報、消耗品環境情報及び排出権情報を一旦記憶部５０２に記憶する理由は、消耗品の製品情報、消耗品環境情報及び排出権情報を再三要求せずとも記憶部５０２から読み込むだけで、消耗品を選択発注したり排出権購入費用の使用用途を依頼することができるので、通信費用が削減できるといったメリットがある。
【００９７】
なお、温室効果ガス排出権使用用途情報選択画面１０１ａに表示された装置や消耗品などの情報（データ）は、予め記憶部５０２に記憶されていても良い。
【００９８】
ステップＳ７に続き、一旦記憶部５０２に格納された消耗品の製品情報、消耗品環境情報及び排出権情報を読み出して表示部１０１にリスト表示およびサムネイル表示にて表示する（ステップＳ８）。そして、ユーザは、表示部１０１にリスト表示およびサムネイル表示で表示された消耗品の製品情報と消耗品環境情報を確認して、排出権購入費用の使用用途を依頼したい消耗品を表示部１０１に表示されたリスト表示またはサムネイル表示をタッチ操作することで選択する。
【００９９】
具体的には、図６に示すように、表示部１０１に表示された製品情報／環境エコラベル情報選択画面１０１ｂの中から所望する消耗品、例えば、イエロー色トナーカートリッジを購入したとすると、イエロー色トナーカートリッジ２０３を選択する。すると、図７に示すように、選択されたイエロー色トナーカートリッジ２０３の情報表示エリア１０１ｂ１が点線で囲まれ、選択された旨をユーザに報知する。
【０１００】
そして、消耗品の排出権購入費用の使用用途を選択して確定する（ステップＳ９）。
具体的には、消耗品として選択したイエロー色トナーカートリッジ２０３を確定する場合は、図７に示す次画面切換アイコン（確定用）１２３をタッチする。これにより、図８に示すように、表示部１０１に排出権購入費用使用用途選択画面１０１ｃが表示されて、排出権購入費用使用用途選択画面１０１ｃにおいて消耗品（イエロー色トナーカートリッジ２０３）の排出権購入費用の使用用途を選択する。
【０１０１】
例えば、ユーザが温室効果ガスの排出権購入費用を温室効果ガスの吸収事業に使って欲しい場合は、画面上の温室効果ガスの吸収事業を選択する選択アイコン４０３をタッチ（選択）する。そして、さらに、温室効果ガスの吸収事業がどのような事業内容であるかを確認したい場合は、選択された事業の詳細を表示する選択アイコン１２４を選択して、次画面切換アイコン（事業確定用）１２５を選択する。
【０１０２】
これにより、図９に示すように、表示部１０１に温室効果ガス吸収事業詳細画面１０１ｆが表示される。そして、選択した事業（温室効果ガスの吸収事業）で良い場合は、選択された事業を確定して次画面に切換える次画面切換アイコン（事業確定用）１２５を選択する。一方、事業内容を確認して他の事業に変えたい場合は、戻りアイコン１２１で前画面戻り、他の事業や事業内容（図９，図１０）を表示して確認することができる。
【０１０３】
そして、消耗品の排出権購入費用の使用用途の依頼書を送信するか否かが判断される（ステップＳ１０）。
【０１０４】
ステップＳ１０において、消耗品の排出権購入費用の使用用途の依頼書を送信しないと判断された場合は、消耗品の排出権購入費用の使用用途の依頼する処理は終了する。
一方、ステップＳ１０において、消耗品の排出権購入費用の使用用途の依頼書を送信すると判断された場合は、選択された消耗品の排出権購入費用の使用用途の依頼書が画像形成装置１の通信部５０６によりネットワークを介してトナーカートリッジのメーカーや販売会社、販売代理店、リース会社等（ここでは、販売店とする。）に送信される（ステップＳ１１）。送信手段として、ＦＡＸを用いてもよい。これで依頼書の送信は完了する。
【０１０５】
販売店において、消耗品の排出権購入費用の使用用途の依頼書が受信されると、販売店から依頼書を受信した旨のメールを送信する。
【０１０６】
画像形成装置１において、販売店からの依頼書を受信した旨のメールを受信すると（ステップＳ１２）、表示部１０１に販売店用依頼書の写しの受信画面１０１ｈを表示する（ステップＳ１３）。そして、再び操作パネル１００の表示部１０１に消耗品の製品情報、消耗品環境情報及び排出権情報をリスト表示およびサムネイル表示にて表示する（ステップＳ１４）。
【０１０７】
そして、消耗品の排出権購入費用の使用用途の依頼書を継続して送信するか否かが判断される（ステップＳ１５）。ステップＳ１５において、依頼書を送信しないと判断された場合は、消耗品の排出権購入費用の使用用途を依頼する処理は終了する。
一方、ステップＳ１５において、消耗品の排出権購入費用の使用用途の依頼書を継続して送信すると判断された場合は、消耗品の排出権購入費用の使用用途を選択して確定する処理が行なわれて（ステップＳ１６）、依頼書を送信する処理が終了する。
【０１０８】
なお、上記依頼処理は、画像形成装置のウォームアップから印刷可能なＲｅａｄｙ状態になるまでの間に行ってもよいし、印刷ＪＯＢの合間に行ってもよい。いずれの間に消耗品の排出権購入費用の使用用途の依頼処理を行うことで、例えば、他のユーザが画像形成装置を使用する際の邪魔にはならないという効果を奏する。
【０１０９】
以上のように構成したので、本実施形態によれば、画像形成装置１の温室効果ガス排出権購入費用の使用用途選択システムの構成として、操作パネル１００の表示部１０１を温室効果ガス排出権購入費用の使用用途選択システムの表示部として機能するように構成し、温室効果ガス排出権付き消耗品の排出権購入費用の使用用途を選択するための使用用途選択手段として機能する選択画面（温室効果ガス排出権使用用途情報選択画面１０１ａ、製品情報／環境エコラベル情報選択画面１０１ｂ、排出権購入費用使用用途選択画面１０１ｃ）を備え、画像形成装置１における通信部５０６を、ネットワーク回線を介してメーカー、購入先またはリース先から温室効果ガス排出権付き消耗品の製品情報と温室効果ガス排出権付き消耗品の排出権購入費用の使用用途の情報とを入手する情報入手手段として機能するように構成するとともに、選択画面において選択された排出権購入費用の使用用途の選択結果を温室効果ガス排出権付き消耗品の発注先（または、購入先）に通知する選択結果通知手段として機能するように構成することで、消耗品を購入する際に、消耗品の排出権購入費用の使用用途を選択することができるので、ユーザの対環境貢献に対する選択余地を拡げることができ、特に、対環境意識の高いユーザにとっては、温室効果ガス排出権購入費用が何に使われているか、またどのように社会貢献しているかを知ることができ、安心して温室効果ガス排出権付き消耗品の購入ができる。
【０１１０】
また、本実施形態によれば、画像形成装置１の構成として、Ｅｃｏｖｉｅｗアイコン１２０にユーザが表示指示した場合に、消耗品であるトナーカートリッジの情報を表示部１０１に表示させる構成を有し、表示部１０１に、トナーカートリッジが取得、認定、または検証された環境エコラベルのサムネイル（画像）３０１〜３０６と、トナーカートリッジの温室効果ガス排出権費用の使用用途の名称と、使用用途の画像を含む詳細情報と、を含む消耗品情報を表示することで、ユーザの対環境貢献に対する選択余地を拡げることができ、特に、対環境意識の高いユーザにとっては、温室効果ガス排出権購入費用が何に使われているか、またどのように社会貢献しているかを知ることができ、安心して温室効果ガス排出権付き消耗品の購入ができる。
【０１１１】
また、本実施形態では、温室効果ガス排出権付き消耗品の排出権購入費用の使用用途を販売店に依頼する際に、依頼書を送信するとともに、その依頼書を販売店が受信した旨の返信を受信した時に、販売店用依頼書の写しを表示部１０１に表示するようにしたので、販売店への排出権購入費用の使用用途の依頼内容を確認することができる。
【０１１２】
また、本実施形態では、排出権購入費用の使用用途である事業の詳細を選択的に表示することで、その事業の詳細を確認することができるので、ユーザにとって排出権購入費用の使用用途の選択を的確に判断することができる。
【０１１３】
なお、本実施形態では、表示部１０１にＥｃｏｖｉｅｗアイコン１２０を備えて、表示切換えスイッチとしているが、画面サイズが小さく、且つ操作部（メニューキー、テンキー、プリントキー等）が小さくＥｃｏｖｉｅｗアイコンが設けられない場合には、表示部１０１以外の箇所にＥｃｏｖｉｅｗ操作キーを備えることもできる。また、本実施形態では、Ｅｃｏｖｉｅｗアイコン１２０を表示部１０１の右側下部に設けているが、特に限定せず、表示部１０１においての上部、下部、左側、右側の何れの箇所に設けてもよい。
【０１１４】
また、上述した実施形態では、本発明に係る温室効果ガス排出権購入費用の使用用途選択システムの構成を図１に示すような画像形成装置１の操作パネル１００に適用した例について説明したが、消耗品の製品情報や排出権情報などを表示可能な表示部を備える装置であれば、上述したような構成の画像形成装置や複写機に限定されるものではなく、その他の装置、例えば家電製品、民生用機器（映像・音響・通信などに関連した電子機器や装置、または端末において、一般消費者による使用・一般家庭での使用を目的としていること、または、そのことを前提に開発・設計された製品・規格を指す）、および業務用機器（法人(企業や学校、官公庁)など、一般家庭以外の用途を前提として開発された製品）等に展開が可能である。
また、入力部１０１としてタッチパネルを用いたが、Ｕｂｉ−Ｆｉｎｇｅｒデバイスを用いたジェスチャー入力装置等を用いてもよい。
【０１１５】
さらに、本実施例の画像形成装置１とＬＡＮ７００を介して画像形成装置１を操作できるパーソナルコンピュータや携帯情報端末、または液晶ディスプレイ、有機ＥＬディスプレイ、プラズマディスプレイ、プラズマチューブアレイディスプレイ、電気泳動等を利用した電子ペーパーディスプレイ、電子放出素子を用いたディスプレイ（ＦＥＤ、ＳＥＤ）等のディスプレイを備えた電子機器も利用可能である。
【０１１６】
以上のように、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【０１１７】
１  画像形成装置
１００  操作パネル
１０１  表示部（表示手段）
１０１ａ  温室効果ガス排出権使用用途情報選択画面
１０１ｂ  製品情報／環境エコラベル情報選択画面
１０１ｂ１  情報表示エリア
１０１ｃ  排出権購入費用使用用途選択画面（使用用途選択手段）
１０１ｄ  発電事業詳細画面
１０１ｅ  温室効果ガス貯留事業詳細画面
１０１ｆ  温室効果ガス吸収事業詳細画面
１０１ｇ  通知画面
１０１ｈ  受信画面
１１０  操作キー
１１０ａ  ＩＭＡＧＥ  ＳＥＮＤ  初期画面
１２０  Ｅｃｏｖｉｅｗアイコン
２０１  黒色トナーカートリッジ
２０２  透明色トナーカートリッジ
２０３  イエロー色トナーカートリッジ
３０１，３０２，３０３，３０４，３０５，３０６  サムネイル（サムネイル表示）
４０１，４０２，４０３  選択アイコン
５０１  制御部
５０２  記憶部
５０６  通信部（通信手段、情報入手手段、選択結果通知手段）
５０９ａ  検出部（検出手段）
５２１  プレビュー画像（依頼書）
６０１  プレビュー画像（依頼書の写し）
７００  ＬＡＮ（ローカルエリアネットワーク）
７１０  衛星通信インフラ
【図１】
0005843949.tif 000002
【図２】
0005843949.tif 000003
【図３】
0005843949.tif 000004
【図４】
0005843949.tif 000005
【図５】
0005843949.tif 000006
【図６】
0005843949.tif 000007
【図７】
0005843949.tif 000008
【図８】
0005843949.tif 000009
【図９】
0005843949.tif 000010
【図１０】
0005843949.tif 000011
【図１１】
0005843949.tif 000012
【図１２】
0005843949.tif 000013
【図１３】
0005843949.tif 000014
【図１４】
0005843949.tif 000015
【図１５】
0005843949.tif 000016